(57)【要約】【課題】受信信号の周波数偏差を精度良く検出することが可能な周波数偏差検出回路、それを備えた受信機、周波数偏差検出方法、及び、周波数偏差検出プログラムを提供すること。【解決手段】周波数偏差検出部２３は、所定の同期ワードと、シングルキャリア伝送によって無線受信された受信信号に含まれる同期ワードと、をスライドさせながらシンボル毎に比較することにより、シンボル毎に伝送路応答の推定を行う伝送路応答推定部２３１と、伝送路応答の推定値に基づいて受信信号の周波数偏差を算出する周波数偏差算出部２３２と、周波数偏差の算出値に基づいてシンボル毎に受信信号の周波数を補正する周波数補正部２３３と、周波数補正された受信信号に含まれる同期ワードを検出する同期ワード検出部２３５と、同期ワードの検出タイミングに同期して、周波数偏差算出部２３２により算出された周波数偏差の算出値を取り込む周波数保持部２３６と、を備える。【選択図】図１
2020178212.tif 000002
【特許請求の範囲】
【請求項１】
予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定部と、
前記伝送路応答推定部によって推定された前記伝送路応答の推定値に基づいて、前記受信信号の周波数偏差を算出する周波数偏差算出部と、
前記周波数偏差算出部によって算出された前記周波数偏差の算出値に基づいて、シンボル毎に前記受信信号の周波数を補正する第１周波数補正部と、
前記第１周波数補正部によって周波数補正された前記受信信号に含まれる前記同期ワードと、前記所定の同期ワードと、の間の相関関係から、前記受信信号に含まれる前記同期ワードを検出する同期ワード検出部と、
前記同期ワード検出部によって前記同期ワードが検出されたタイミングに同期して、前記周波数偏差算出部によって算出された前記周波数偏差の算出値を取り込んで出力する周波数保持部と、
を備えた、周波数偏差検出回路。
【請求項２】
前記周波数保持部は、前記同期ワード検出部によって前記同期ワードの最後のシンボルが検出されたタイミングに同期して、前記周波数偏差算出部によって算出された前記周波数偏差の算出値を取り込んで出力するように構成されている、
請求項１に記載の周波数偏差検出回路。
【請求項３】
請求項１又は２に記載の周波数偏差検出回路と、
前記周波数偏差検出回路によって検出された周波数偏差の検出値に基づいて、前記受信信号の周波数を補正する第２周波数補正部と、
を備えた、受信機。
【請求項４】
前記受信信号を受信するＲＦ信号受信部と、
請求項１又は２に記載の周波数偏差検出回路と、
を備え、
前記ＲＦ信号受信部は、前記周波数偏差検出回路に設けられた前記周波数偏差算出部によって算出された前記周波数偏差の算出値を観測しながら、当該周波数偏差の算出値が小さくなるように前記受信信号の周波数を調整するように構成されている、
受信機。
【請求項５】
前記周波数偏差検出回路によって検出された周波数偏差の検出値に基づいて、前記受信信号の周波数を補正する第２周波数補正部をさらに備えた、
請求項４に記載の受信機。
【請求項６】
予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定ステップと、
推定された前記伝送路応答の推定値に基づいて、前記受信信号の周波数偏差を算出する周波数偏差算出ステップと、
算出された前記周波数偏差の算出値に基づいて、シンボル毎に前記受信信号の周波数を補正する周波数補正ステップと、
周波数補正された前記受信信号に含まれる前記同期ワードと、前記所定の同期ワードと、の間の相関関係から、前記受信信号に含まれる前記同期ワードを検出する同期ワード検出ステップと、
前記同期ワードが検出されたタイミングに同期して、周波数偏差算出ステップにおいて算出された前記周波数偏差の算出値を取り込んで出力する周波数偏差出力ステップと、
を備えた、周波数偏差検出方法。
【請求項７】
予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定処理と、
推定された前記伝送路応答の推定値に基づいて、前記受信信号の周波数偏差を算出する周波数偏差算出処理と、
算出された前記周波数偏差の算出値に基づいて、シンボル毎に前記受信信号の周波数を補正する周波数補正処理と、
周波数補正された前記受信信号に含まれる前記同期ワードと、前記所定の同期ワードと、の間の相関関係から、前記受信信号に含まれる前記同期ワードを検出する同期ワード検出処理と、
前記同期ワードが検出されたタイミングに同期して、周波数偏差算出処理において算出された前記周波数偏差の算出値を取り込んで出力する周波数偏差出力処理と、
をコンピュータに実行させる周波数偏差検出処理プログラム。
【発明の詳細な説明】
【技術分野】
【０００１】
本発明は、周波数偏差検出回路、それを備えた受信機、周波数偏差検出方法、及び、周波数偏差検出プログラムに関する。
【背景技術】
【０００２】
無線通信システムにおいて、受信機は、送信機から送信された無線信号の周波数と、受信機によって受信された無線信号（受信信号）の周波数と、のずれ（周波数偏差）を検出し、そのずれを補正した後、受信信号を復調させている。そのため、受信機には、周波数偏差を精度良く検出することが求められている。
【０００３】
特許文献１には、シングルキャリア伝送における、同期ワード（ＳＷ：Ｓｙｎｃｈｒｏｎｏｕｓ  Ｗｏｒｄ）を用いた周波数偏差の検出方法が開示されている。特許文献１に開示された周波数偏差検出方法は、高ＳＮ比環境下や周波数偏差が小さい場合、受信信号に含まれる同期ワードと、既知の同期ワードと、の間の強い相関関係によって、受信信号に含まれる同期ワードの位置を特定することができる。それにより、この周波数偏差検出方法は、同期ワードの伝送路応答を推定して、周波数偏差を算出することができる。なお、ＳＮ比とは、Ｓｉｇｎａｌ  ｔｏ  Ｎｏｉｓｅ  ｒａｔｉｏの略であり、信号対雑音比のことである。
【０００４】
その他、特許文献２及び特許文献３にも、周波数偏差の検出方法が開示されている。
【先行技術文献】
【特許文献】
【０００５】
【特許文献１】国際公開第２０１２／１４７３７７号
【特許文献２】特開２０１０−７４２８４号公報
【特許文献３】特開２００６−２７９６８６号公報
【発明の概要】
【発明が解決しようとする課題】
【０００６】
しかしながら、特許文献１に開示された周波数偏差検出方法は、低ＳＮ比環境下や周波数偏差が大きい場合には、受信信号に含まれる同期ワードと、既知の同期ワードと、の相関が弱くなるため、受信信号に含まれる同期ワードの位置を特定することができない。そのため、特許文献１に開示された周波数偏差検出方法では、周波数偏差を精度良く検出することができないという課題があった。
【０００７】
特にビットレート（シンボルレート）に対する搬送波の周波数が高い場合には、周波数偏差が大きくなるため、この課題は顕著になる。例えば、搬送波の周波数が１００ＭＨｚ、変調方式がＱＰＳＫ、シンボルレートが１ｋｓｙｍ／ｓ、送受信クロック偏差が１ｐｐｍ、送信機及び受信機によって遅延検波される場合、受信機における最大周波数偏差は１００（＝１＾８×１＾（−６））Ｈｚとなる。なお、ＱＰＳＫは、Ｑｕａｄｒａｔｕｒｅ  Ｐｈａｓｅ  Ｓｈｉｆｔ  Ｋｅｙｉｎｇの略である。つまり、この場合、周波数偏差はシンボルレートの１０％となる。これは、コンスタレーション点の位相が１０％（３６°）回転してしまうことを意味している。それにより、変調次数が高くなるほど、変調エラー率（ＭＥＲ：Ｍｏｄｕｌａｔｉｏｎ  Ｅｒｒｏｒ  Ｒａｔｉｏ）が上昇してしまう。
【０００８】
本開示の目的は、上述した課題を解決する周波数偏差検出回路、それを備えた受信機、周波数偏差検出方法、及び、周波数偏差検出プログラムを提供することにある。
【課題を解決するための手段】
【０００９】
一実施の形態によれば、周波数偏差検出回路は、予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定部と、前記伝送路応答推定部によって推定された前記伝送路応答の推定値に基づいて、前記受信信号の周波数偏差を算出する周波数偏差算出部と、前記周波数偏差算出部によって算出された前記周波数偏差の算出値に基づいて、シンボル毎に前記受信信号の周波数を補正する第１周波数補正部と、前記第１周波数補正部によって周波数補正された前記受信信号に含まれる前記同期ワードと、前記所定の同期ワードと、の間の相関関係から、前記受信信号に含まれる前記同期ワードを検出する同期ワード検出部と、前記同期ワード検出部によって前記同期ワードが検出されたタイミングに同期して、前記周波数偏差算出部によって算出された前記周波数偏差の算出値を取り込んで出力する周波数保持部と、を備える。
【００１０】
一実施の形態によれば、周波数偏差検出方法は、予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定ステップと、推定された前記伝送路応答の推定値に基づいて、前記受信信号の周波数偏差を算出する周波数偏差算出ステップと、算出された前記周波数偏差の算出値に基づいて、シンボル毎に前記受信信号の周波数を補正する周波数補正ステップと、周波数補正された前記受信信号に含まれる前記同期ワードと、前記所定の同期ワードと、の間の相関関係から、前記受信信号に含まれる前記同期ワードを検出する同期ワード検出ステップと、前記同期ワードが検出されたタイミングに同期して、周波数偏差算出ステップにおいて算出された前記周波数偏差の算出値を取り込んで出力する周波数偏差出力ステップと、を備える。
【００１１】
一実施の形態によれば、周波数偏差検出処理プログラムは、予め取得されている所定の同期ワードと、シングルキャリア伝送によって無線受信された受信信号に含まれる、前記所定の同期ワードに対応する同期ワードと、をスライドさせながらシンボル毎に比較することにより、シンボル毎に伝送路応答の推定を行う伝送路応答推定処理と、推定された前記伝送路応答の推定値に基づいて、前記受信信号の周波数偏差を算出する周波数偏差算出処理と、算出された前記周波数偏差の算出値に基づいて、シンボル毎に前記受信信号の周波数を補正する周波数補正処理と、周波数補正された前記受信信号に含まれる前記同期ワードと、前記所定の同期ワードと、の間の相関関係から、前記受信信号に含まれる前記同期ワードを検出する同期ワード検出処理と、前記同期ワードが検出されたタイミングに同期して、周波数偏差算出処理において算出された前記周波数偏差の算出値を取り込んで出力する周波数偏差出力処理と、をコンピュータに実行させる。
【発明の効果】
【００１２】
前記一実施の形態によれば、受信信号の周波数偏差を精度良く検出することが可能な周波数偏差検出回路、それを備えた受信機、周波数偏差検出方法、及び、周波数偏差検出プログラムを提供することができる。
【図面の簡単な説明】
【００１３】
【図１】実施の形態１にかかる周波数偏差検出部の概要を示すブロック図である。
【図２】シンボルデータのフレーム構成の一例を示す図である。
【図３】図１に示す周波数偏差検出部が受信機に適用された通信システムの構成例を示すブロック図である。
【図４】図１に示す周波数偏差検出部のより具体的な構成例を示すブロック図である。
【図５】図４に示す周波数偏差検出部に設けられた周波数補正部の具体的な構成例を示すブロック図である。
【図６】周波数偏差検出部によるシンボルデータの処理フローの一部を示す図である。
【発明を実施するための形態】
【００１４】
以下、図面を参照しつつ、実施の形態について説明する。なお、図面は簡略的なものであるから、この図面の記載を根拠として実施の形態の技術的範囲を狭く解釈してはならない。また、同一の要素には、同一の符号を付し、重複する説明は省略する。
【００１５】
以下の実施の形態においては便宜上その必要があるときは、複数のセクションまたは実施の形態に分割して説明する。ただし、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１６】
さらに、以下の実施の形態において、その構成要素（動作ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１７】
＜実施の形態１＞
まず、図１を用いて、実施の形態１に係る受信機に搭載された周波数偏差検出部（周波数偏差検出回路）の概要について説明する。図１は、実施の形態１に係る周波数偏差検出部２３の概要を示すブロック図である。周波数偏差検出部２３は、無線通信システムの受信機に設けられ、送信機から送信された無線信号の周波数と、受信機によって受信された当該無線信号（受信信号）の周波数と、のずれ（周波数偏差）を検出する。受信機では、周波数偏差検出部２３によって検出された周波数偏差を用いて受信信号の周波数が補正された後、当該受信信号が復調される。
【００１８】
なお、本実施の形態では、変調方式として、位相偏移変調方式や直交振幅変調方式が採用されている場合を例に説明する。また、本実施の形態では、伝送方式として、シングルキャリア伝送が採用されている。
【００１９】
さらに、本実施の形態では、受信信号のデータ構造として、図２に例示されるようなフレームが用いられる場合を例に説明する。具体的には、伝送される１つのフレームには、伝送されるデータに加えて、既知の同期ワード（ＳＷ）が含まれている。ここで、同期ワードは、同期対象となる送信機及び受信機において共通の固定化されたビットパターンを示している。なお、図２の例では、フレームの先頭以外の位置に同期ワードが配置されているが、フレームの先頭の位置に同期ワードが配置されていても良い。
【００２０】
図１に示すように、周波数偏差検出部２３は、伝送路応答推定部２３１と、周波数偏差算出部２３２と、周波数補正部２３３と、同期ワード検出部２３５と、周波数保持部２３６と、を備える。
【００２１】
伝送路応答推定部２３１は、予め取得されている既知の同期ワードＳＷと、シングルキャリア伝送によって無線受信された受信信号ＲＳのシンボルデータに含まれる、既知の同期ワードＳＷに対応する同期ワードと、をスライドさせながらシンボル毎に比較する。それにより、伝送路応答推定部２３１は、シンボル毎に伝送路応答の推定を行って伝送路応答の推定値を出力する。なお、詳しくは後述するが、伝送路応答推定部２３１に入力される受信信号ＲＳのシンボルデータとは、受信信号ＲＳをベースバンド信号に変換した後、波形成形等の処理を行うことによって生成された受信信号ＲＳのシンボル系列のことである。
【００２２】
周波数偏差算出部２３２は、伝送路応答推定部２３１によって推定された伝送路応答の推定値に基づいて、受信信号ＲＳの周波数偏差を算出する。
【００２３】
周波数補正部２３３は、周波数偏差算出部２３２によって算出された周波数偏差の算出値に基づいて、シンボル毎に、受信信号ＲＳのシンボルデータに対する周波数の補正を行う。
【００２４】
同期ワード検出部２３５は、周波数補正されたシンボルデータを復調することにより得られたビットデータに含まれる同期ワードと、予め取得されている既知（所定）の同期ワードと、の間の相関関係から、当該ビットデータに含まれる同期ワードを検出する。
【００２５】
周波数保持部２３６は、同期ワード検出部２３５によって同期ワードが検出されたタイミングに同期して、周波数偏差算出部２３２によって算出された周波数偏差の算出値を取り込んで出力する。
【００２６】
このように、本実施の形態に係る周波数偏差検出部２３は、受信信号ＲＳのシンボルデータに対して、スライディングウィンドウ方式を用いてシンボル毎に伝送路応答の推定、周波数偏差の算出、及び、周波数の補正を行っている。それにより、本実施の形態に係る周波数偏差検出部２３は、低ＳＮ比環境下や周波数偏差が大きい場合でも、受信信号ＲＳの同期ワードと、既知の同期ワードと、の間の相関関係を高めることができるため、受信信号ＲＳの同期ワードを正確に検出することができる。そのため、本実施の形態に係る周波数偏差検出部２３は、受信信号ＲＳに含まれる同期ワードの検出タイミングにおける周波数偏差を正確に取得することができる。
【００２７】
≪周波数偏差検出部２３が搭載された無線通信システム１００の例≫
図３は、周波数偏差検出部２３が受信機に搭載された無線通信システム１００の構成例を示すブロック図である。
【００２８】
図３に示すように、無線通信システム１００は、送信機１と、受信機２と、を備える。送信機１は、デジタル変調部１１と、ベースバンド信号処理部１２と、ＲＦ信号送信部１３と、アンテナＡ１と、を少なくとも備える。受信機２は、ＲＦ信号受信部２１と、ベースバンド信号処理部２２と、周波数偏差検出部２３と、周波数補正部２４と、デジタル復調部２５と、アンテナＡ２と、を少なくとも備える。
【００２９】
送信機１において、デジタル変調部１１は、入力された送信データに対して変調処理を行い、シンボル系列（シンボルデータ）を出力する。ベースバンド信号処理部１２は、デジタル変調部１１から出力されたシンボル系列に対して、波形整形等の処理を行って、ベースバンド信号を出力する。ＲＦ信号送信部１３は、ベースバンド信号処理部１２から出力されたベースバンド信号に対して、周波数変換及び電力増幅等の処理を行って、ＲＦ（Ｒａｄｉｏ  Ｆｒｅｑｕｅｎｃｙ）信号を出力する。このＲＦ信号は、アンテナＡ１を介して、無線送信される。
【００３０】
受信機２は、送信機１から送信されたＲＦ信号（以下、受信信号ＲＳと称す）を、アンテナＡ２を介して受信する。ＲＦ信号受信部２１は、アンテナＡ２を介して受信した受信信号ＲＳに対して、周波数変換、電力増幅、及び、帯域制限等の処理を行って、ベースバンド信号を出力する。ベースバンド信号処理部２２は、ＲＦ信号受信部２１から出力されベースバンド信号に対して、波形整形等の処理を行って、シンボル系列を出力する。周波数偏差検出部２３は、ベースバンド信号処理部２２から出力された受信信号ＲＳのシンボル系列に含まれる同期ワードのシンボル系列と、既知の同期ワードのシンボル系列と、の間の相関関係から、受信信号ＲＳの周波数偏差を検出する。周波数補正部２４は、受信信号ＲＳのシンボル系列に対して、周波数偏差検出部２３により検出された周波数偏差を用いて補正処理を行って、補正後の受信信号ＲＳのシンボル系列を出力する。デジタル復調部２５は、周波数補正部２４から出力された補正後の受信信号ＲＳのシンボル系列に対して復調処理を行って、受信データとして出力する。
【００３１】
≪周波数偏差検出部２３の詳細≫
図４は、周波数偏差検出部２３の詳細を周波数偏差検出部２３ａとして示すブロック図である。
【００３２】
図４に示すように、周波数偏差検出部２３ａは、伝送路応答推定部２３１と、周波数偏差算出部２３２と、周波数補正部２３３と、デジタル復調部２３４と、同期ワード検出部２３５と、周波数保持部２３６と、を備える。また、周波数偏差検出部２３ａは、遅延部２３７と、遅延部２３８と、遅延部２３９と、スイッチＳＷ１，ＳＷ２と、をさらに備える。
【００３３】
スイッチＳＷ１，ＳＷ２は、ベースバンド信号処理部２２から出力された受信信号ＲＳのシンボル系列を、当該シンボル系列から周波数偏差を検出する経路、及び、周波数偏差の検出に要する時間分遅延させて出力する経路、の何れかに周期的に切り替えて出力する。
【００３４】
伝送路応答推定部２３１は、予め取得されている既知の同期ワードＳＷと、シングルキャリア伝送によって無線受信された受信信号ＲＳのシンボル系列に含まれる、既知の同期ワードＳＷに対応する同期ワードと、をスライドさせながらシンボル毎に比較する。それにより、伝送路応答推定部２３１は、シンボル毎に伝送路応答の推定を行って伝送路応答の推定値を出力する。
【００３５】
周波数偏差算出部２３２は、伝送路応答推定部２３１によって推定された伝送路応答の推定値に基づいて、受信信号ＲＳの周波数偏差を算出する。
【００３６】
遅延部２３７は、受信信号ＲＳのシンボルデータを、伝送路応答推定部２３１及び周波数偏差算出部２３２の処理に要する時間分遅延させて出力する。
【００３７】
周波数補正部２３３は、周波数偏差算出部２３２によって算出された周波数偏差の算出値に基づいて、シンボル毎に、受信信号ＲＳのシンボルデータに対する周波数の補正を行う。
【００３８】
図５は、周波数偏差算出部２３２の具体的な構成例を示すブロック図である。周波数偏差算出部２３２は、数値制御発振器２３３１と、複素乗算器２３３２と、を有する。図５を参照すると、数値制御発振器２３３１は、周波数偏差算出部２３２によって算出された周波数偏差の算出値に応じた周波数の発振信号を出力する。複素乗算器２３３２は、数値制御発振器２３３１から出力された発振信号と、受信信号ＲＳのシンボルデータと、の間で複素乗算処理を行って、周波数補正後のシンボルデータを出力する。
【００３９】
図６は、周波数偏差検出部２３に設けられた伝送路応答推定部２３１、周波数偏差算出部２３２、及び、周波数補正部２３３による処理フローを示す図である。図６に示すように、周波数偏差検出部２３では、受信信号ＲＳのシンボルデータに対して、スライディングウィンドウ方式を用いてシンボル毎に伝送路応答の推定、周波数偏差の算出、及び、周波数の補正が行われている。それにより、受信信号ＲＳのシンボルデータに含まれる同期ワードの最後のシンボルのタイミングにおいてのみ、正確な周波数の補正が可能となる。
【００４０】
デジタル復調部２３４は、周波数補正部２３３から出力された周波数補正されたシンボルデータに対して復調処理を行って、ビットデータを出力する。
【００４１】
同期ワード検出部２３５は、デジタル復調部２３４から出力されたビットデータに含まれる同期ワードと、予め取得されている既知の同期ワードと、の間の相関関係から、当該ビットデータに含まれる同期ワードを検出する。なお、同期ワード検出部２３５は、波形相関から、ビットデータに含まれる同期ワードを検出しても良い。
【００４２】
遅延部２３８は、周波数偏差算出部２３２から出力された周波数偏差の算出値を、周波数補正部２３３、デジタル復調部２３４、及び、同期ワード検出部２３５の処理に要する時間分遅延させて出力する。
【００４３】
周波数保持部２３６は、同期ワード検出部２３５により同期ワードが検出されたタイミング（より詳細には、同期ワードの最後のシンボルが検出されたタイミング）に同期して、周波数偏差算出部２３２により算出された周波数偏差の算出値を取り込んで出力する。
【００４４】
遅延部２３９は、受信信号ＲＳのシンボルデータを、周波数補正部２３３、デジタル復調部２３４、同期ワード検出部２３５、及び、周波数保持部２３６の処理に要する時間分遅延させて出力する。
【００４５】
それにより、周波数偏差検出部２３ａは、受信信号ＲＳのシンボル系列及びそれに対応する周波数偏差を出力する。その後、周波数補正部２４は、周波数偏差検出部２３から出力された受信信号ＲＳのシンボル系列に対して、同じく周波数偏差検出部２３から出力された周波数偏差を用いて補正処理を行って、補正後の受信信号ＲＳのシンボル系列を出力する。
【００４６】
このように、本実施の形態に係る周波数偏差検出部２３ａは、受信信号ＲＳのシンボルデータに対して、スライディングウィンドウ方式を用いてシンボル毎に伝送路応答の推定、周波数偏差の算出、及び、周波数の補正を行っている。それにより、本実施の形態に係る周波数偏差検出部２３ａは、低ＳＮ比環境下や周波数偏差が大きい場合でも、受信信号ＲＳの同期ワードと既知の同期ワードとの間の相関関係を高めることができるため、受信信号ＲＳの同期ワードを正確に検出することができる。そのため、本実施の形態に係る周波数偏差検出部２３ａは、受信信号ＲＳに含まれる同期ワードの検出タイミングにおける周波数偏差を正確に取得することができる。
【００４７】
なお、周波数偏差検出部２３（２３ａ）は、シンボル毎に、仮の伝送路応答の推定、周波数偏差の算出、及び、周波数の補正を行ったうえで同期ワードの検出を行うことにより、受信信号ＲＳの同期ワードと、既知の同期ワードと、の間の相関関係を高めている。このような手法は、シンボル毎に直接同期ワードの検出を行う特許文献２や、特許文献３の手法とは異なる。
【００４８】
本実施の形態では、受信機２が、自動周波数制御（ＡＦＣ：Ａｕｔｏｍａｔｉｃ  Ｆｒｅｑｕｅｎｃｙ  Ｃｏｎｔｒｏｌ）の機能を有していない場合について説明したが、これに限られない。受信機２は、自動周波数制御の機能を有していても良い。その場合、例えば、受信機２に設けられたＲＦ信号受信部２１は、フィードバックされた周波数偏差算出部２３２による周波数偏差の算出値を観測しながら、当該周波数偏差の算出値が小さくなるように受信信号ＲＳの周波数を調整するように構成される。受信信号ＲＳの周波数の調整は、例えば、ＲＦ信号受信部２１に設けられた発振器から出力される発振信号の発振周波数を調整することによって行われる。
【００４９】
以上、図面を参照して、本開示の実施の形態について詳しく説明してきたが、具体的な構成は上述のものに限られることはなく、本開示の要旨を逸脱しない範囲内において様々な設計変更等が可能である。
【００５０】
上述の実施の形態では、本開示をハードウェアの構成として説明したが、本開示は、これに限定されるものではない。本開示は、周波数偏差検出部２３の全部又は一部の処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
【００５１】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体は、例えば、磁気記録媒体、光磁気記録媒体、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリを含む。磁気記録媒体は、例えば、フレキシブルディスク、磁気テープ、ハードディスクドライブなどである。光磁気記録媒体は、例えば光り磁気ディスクなどである。半導体メモリは、例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）などである。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５２】
以上、実施の形態を参照して本願発明を説明したが、本願発明は上記によって限定されるものではない。本願発明の構成や詳細には、発明のスコープ内で当業者が理解し得る様々な変更をすることができる。
【符号の説明】
【００５３】
１００  無線通信システム
１  送信機
２  受信機
１１  デジタル変調部
１２  ベースバンド信号処理部
１３  ＲＦ信号送信部
２１  ＲＦ信号受信部
２２  ベースバンド信号処理部
２３  周波数偏差検出部
２３ａ  周波数偏差検出部
２４  周波数補正部
２５  デジタル復調部
２３１  伝送路応答推定部
２３２  周波数偏差算出部
２３３  周波数補正部
２３４  デジタル復調部
２３５  同期ワード検出部
２３６  周波数保持部
２３７  遅延部
２３８  遅延部
２３９  遅延部
２３３１  数値制御発振器
２３３２  複素乗算器
Ａ１  アンテナ
Ａ２  アンテナ
ＳＷ１  スイッチ
ＳＷ２  スイッチ
【図１】
2020178212.tif 000003
【図２】
2020178212.tif 000004
【図３】
2020178212.tif 000005
【図４】
2020178212.tif 000006
【図５】
2020178212.tif 000007
【図６】
2020178212.tif 000008